(57)【要約】【課題】ガット表面に傷がつきにくく、ヨレも生じにくくなり、弾力性、反発力等が良好になり、打った瞬間に伝わる振動を弱めることができる手段を提供する。【解決手段】ガットに、シリコーンオイルを含んだスポンジ状物の塗布面側に研磨剤を含ませたガット用塗布具によって、シリコーンオイルを塗り込む。【選択図】  なし【特許請求の範囲】
【請求項１】
シリコーンオイルを含んだスポンジ状物の塗布面側に、研磨剤を含ませたことを特徴とする、ガット用塗布具。
【発明の詳細な説明】
【０００１】
【発明が属する技術分野】
【０００２】
本発明は、ガット用塗布具に関する。
詳細には、テニスやバドミントン等に使用されるラケットに張られたガットにシリコーンオイルを塗布するための、ガット用塗布具に関する。
【０００３】
【従来の技術】
【０００４】
ラケットに張られたガットは、使用していくうちに、ボールとガットや、ガット同士が擦れることで、表面に傷がつく。
ガットの表面が傷つくことで、縦ストリングと横ストリングが交差する部分が、互いに食い込んだ状態となる、ノッチングが発生する。
ノッチングが発生すると、ガットにヨレが生じ、弾力性、反発力等が低下すると共に、打った瞬間に伝わる振動が増大する。
そこで、弾力性、反発力等を良好にする技術が求められている。
【０００５】
例えば、ラケットによるボール運びを改善する目的で、樹脂などを被覆剤として用いる技術が知られている（特許文献１）。
該技術は、低沸点の有機溶剤中１〜５０％のレツェンテ樹脂又は化石質樹脂の溶液からなる被覆剤を用い、縦ストリングと横ストリングが交差する部分を動かないようにガット相互を付着させることで、ヨレを防ぎ、ボール運びを良好なものとするものである。
【０００６】
【特許文献１】
特表平１１−５１０７１６号公報
【０００７】
【発明が解決しようとする課題】
【０００８】
本発明の解決すべき課題は、ガット表面への傷付きを防止し、ヨレを生じにくくすることで、弾力性、反発力等を良好なものとし、打った瞬間に伝わる振動を弱めることができる手段を提供することにある。
【０００９】
【課題を解決するための手段】
【００１０】
すなわち、本発明の課題を解決するための手段は、次のとおりである。
【００１１】
第１に、シリコーンオイルを含んだスポンジ状物の塗布面側に、研磨剤を含ませた、ガット用塗布具。
第２に、シリコーンオイル入りのスプレー缶の噴出ノズルに、スポンジ状物を取り付け、該スポンジ状物の塗布面側に、研磨剤を含ませた、ガット用塗布具。
第３に、ガットを研磨した後で、該ガットに、シリコーンオイルを含んだスポンジ状物の塗布面側に研磨剤を含ませたガット用塗布具によって、シリコーンオイルを塗り込む、ガット用塗布具の使用方法。
第４に、ガットを４０〜８０℃に温めた後で、該ガットに、シリコーンオイルを含んだスポンジ状物の塗布面側に研磨剤を含ませたガット用塗布具によって、シリコーンオイルを塗り込む、ガット用塗布具の使用方法。
第５に、ガットを研磨して４０〜８０℃に温めた後で、該ガットに、シリコーンオイルを含んだスポンジ状物の塗布面側に研磨剤を含ませたガット用塗布具によって、シリコーンオイルを塗り込む、ガット用塗布具の使用方法。
ここで、使用するシリコーンオイルの粘度は、８０〜１２０ｃｐ、好ましくは９０〜１１０ｃｐ、より好ましくは９６〜１００ｃｐである。
【００１２】
【実施例】
【００１３】
以下に、本発明に係るガット用塗布具の一実施例について説明する。
【００１４】
本実施例に係るガット用塗布具は、粘度９６〜１００ｃｐのシリコーンオイルを含んだスポンジ状物の塗布面側に研磨剤を含ませたものである。
本実施例で用いるスポンジは、直径が５ｃｍ程度で高さ３．５ｃｍ程度の円筒状のもので、塗布面との反対面である固定面側は、厚さ１．２ｃｍ程度の蓋と深さ１．４ｃｍ程度の本体とからなる収納容器の本体側に固定されている。
該スポンジには、０．７ｃｃ程度のシリコーンオイルを、ノズルから霧状に噴射することで、シリコーンオイルが均一に含まれている。
また、該スポンジの塗布面側には、液状の研磨剤を均一になるようにスポイトで垂らすことで、研磨剤が含まれている。
そして、使用しない時には、スポンジを圧縮するようにして、本体と蓋とを組み合わせることで、厚さ１．８ｃｍの円盤状の収納容器に納める。
使用する際には、本体側を手で持って、蓋を開けることで、固定面側が本体に固定されたスポンジが立ち上がり、使用可能になる。
【００１５】
次に、上記のガット用塗布具を用いて、ラケットに張られたガットの縦ストリングと横ストリングに、シリコーンオイルを塗布する手順を説明する。
ラケットに張られたガットの一方の面と他方の面の両面について、上記のガット用塗布具の本体を手で持って、スポンジの塗布面側を、接触させて擦るようにすることでシリコーンオイルを塗り込む。
ここで、縦ストリングと横ストリングとを多少ずらすことを意識しながら擦ることで、縦ストリングと横ストリングとの交差部分にもシリコーンオイルを塗ることが可能になる。
塗り込みの際には、塗布面側の研磨剤の働きにより、ガットの表面が研磨されつつ、シリコーンオイルが塗布される。
最終的には、シリコーンオイルが、ガットの縦ストリングと横ストリングの表面に塗布される。
そして、ガットの縦ストリングと横ストリングが、共にシリコーンオイルによって被覆された状態となる。
このように、シリコーンオイルによって被覆されることで、縦ストリングと横ストリングが交差する部分の動きが妨げられず、インパクト部分が局部的に深く沈み込むように大きく凹んで変形する。
【００１６】
上記のガット用塗布具を用いて、シリコーンオイルをガットに塗布するに際し、次のような手順により行うこともできる。
塗布の前に、ガット表面を、電動ポリシャーによって研磨する。
研磨は、ポリッシャの布に研磨剤を付けた状態で、ガットの表面を研磨した後に、裏面を研磨する。
ここで、ガットの各面とポリッシャの布とが擦れることで発生する摩擦熱によって、ガット面の温度が上昇したら、研磨を停止し、常温に戻るまで待つ。
そして、常温に戻った後に、再び研磨を行う。
このようにして、表面と裏面の研磨操作を、８回程度繰り返すことで、予めガット表面を研磨する。
研磨後、ガットを４０〜８０℃に温めた後に、上記のガット用塗布具を用いて、ラケットに張られたガットの縦ストリングと横ストリングに、シリコーンオイルを塗布すると、より大きな効果が得られる。
【００１７】
【発明の効果】
【００１８】
本発明のガット用塗布具によると、研磨剤で研磨された表面を有するガットをシリコーンによってコーティングし、縦ストリングと横ストリングが交差する部分の動きを妨げないようにすることで、ボールがガットに接触した際に、ボールの接触箇所に応じて、縦ストリングと横ストリングが交差する部分が動くことで、インパクト部分が局部的に深く沈み込むように大きく凹んで変形し、ホールド性を向上させることができる。
そのため、ガット表面に傷がつきにくく、ヨレも生じにくくなり、弾力性、反発力等が良好になり、打った瞬間に伝わる振動を弱めることができる。
具体的に述べると、ホールド性が向上して、ストリングの変形エリアが小さくなるので、振動するストリングの長さが短くなり、大きな振動が起こり難くなる。
また、ホールド性が向上するので、スウィートエリアを外れても、コントロールが容易になり、ミスショットが低減する。
このような効果は、使用によって傷がついたガットに対して、特に良好な結果を示す。
すなわち、使用によりノッチング（縦ストリングと横ストリングが交差する部分が互いに食い込んだ状態）が発生して、新品時より、弾力性、反発力等が低下したガットについて、本発明のガット用塗布具を使用してシリコーンを塗布することで、新品のガットと同様の性能を発揮することができる。